【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
子宮収縮圧力をモニタするために患者の体内中に挿入可能なマルチルーメン型カテーテルであって、該カテーテルは、
前記カテーテルの遠位部分に設けられた拡張可能な外側バルーンを含み、前記外側バルーンは、第１の外側壁を有し、
前記外側バルーン内に位置決めされた拡張可能な内側バルーンを含み、前記内側バルーンは、第２の外側壁を有し、
前記内側バルーンと連通する第１のルーメンを含み、前記内側バルーンと前記第１のルーメンは、膀胱内の圧力をモニタするためにガス充填チャンバを形成し、前記外側バルーンは、前記内側バルーンの円周方向領域よりも大きい円周方向領域を有し、前記膀胱内で前記拡張後の外側バルーンの前記第１の外側壁に及ぼされた圧力に応答して、前記外側バルーンは、変形し、そして圧力を前記拡張後の内側バルーンの前記第２の外側壁に及ぼして前記内側バルーンを変形させると共に前記内側バルーン内および前記第１のルーメン内の前記ガスを圧縮し、それにより精密測定をもたらし、
流体を膀胱から取り出すために膀胱と連通した第２のルーメンを含み、
圧力が、拡張された前記外側バルーンによって変形された拡張された前記内側バルーンの変形によって引き起こされるガスの圧縮に基づいて測定される、カテーテル。
【請求項２】
前記外側バルーンは、膀胱の壁の平均圧力の計算のために多数の基準個所を提供するよう多数の接触領域のところで前記膀胱壁と係合可能な周囲を有する、請求項１に記載のカテーテル。
【請求項３】
圧力変換器が、ハブ内に収容されており、前記ハブは、前記圧力変換器が前記カテーテルの第１のポートに接続されることにより、自動的に空気を前記内側バルーン内に前進させて前記内側バルーンを拡張させ、前記圧力変換器は、前記空気充填チャンバと連通している、請求項１または２に記載のカテーテル。
【請求項４】
前記第１のルーメンは、前記圧力変換器が前記カテーテルに接続されているときに、外気に空気抜きされず、空気を前進させて前記内側バルーンを拡張させる、請求項３に記載のカテーテル。
【請求項５】
前記第２のルーメンは、前記内側バルーンおよび前記外側バルーンの近位側に側方開口部を有する、請求項１〜４のいずれか１項に記載のカテーテル。
【請求項６】
前記カテーテルは、母親の深部体温を測定するためのセンサをさらに含む、請求項１〜５のいずれか１項に記載のカテーテル。
【請求項７】
前記カテーテルは、胎児の心拍数を測定するためのセンサをさらに含む、請求項１〜６のいずれか１項に記載のカテーテル。
【請求項８】
前記カテーテルは、母親のPO2を測定するためのセンサをさらに含む、請求項１〜７のいずれか１項に記載のカテーテル。
【請求項９】
前記カテーテルは、遠位部分のところに温度センサを含み、前記圧力トラスデューサが前記カテーテルに接続されることにより、ａ）自動的に前記温度センサを温度モニタケーブルに接続し、また、ｂ）自動的に空気を前記第１のルーメンを通して前進させて内側バルーンを拡張させる、請求項１〜８のいずれか１項に記載のカテーテル。
【請求項１０】
前記外側バルーンの近位側に前記カテーテルを安定化させるための安定化バルーンをさらに含み、前記カテーテルは、前記安定化バルーンを拡張させるために前記安定化バルーンと連通している第５のルーメンを含む、請求項１〜９のいずれか１項に記載のカテーテル。
【請求項１１】
前記圧力変換器を接続するときに前記細長い部材によって初期的に空気が前記第１のルーメン内に前進された後に、患者の身体にカテーテルを挿入している間に追加の空気が挿入される必要がない、請求項３に記載のカテーテル。
【請求項１２】
圧力は、水を膀胱中に注入する必要なく前記カテーテルの挿入に亘って連続的に測定される、請求項１〜１１のいずれか１項に記載のカテーテル。
【請求項１３】
前記圧力センサは、圧力読みを視覚的に表示するために外部モニタと連続的に連絡しており、前記圧力センサは、膀胱中に水を注入する必要なくカテーテルを挿入している間中追加の空気が挿入される必要がない、請求項１〜１２のいずれか１項に記載のカテーテル。
【請求項１４】
前記第１のポートは、弁を有し、前記細長い部材は、前記ハブが前記カテーテルの前記第１のポートに接続されると、前記弁を通って挿入可能である、請求項３に記載のカテーテル。
【請求項１５】
前記第２のルーメンは、尿を収集するための排液バッグに接続されている、請求項１〜１４のいずれか１項に記載のカテーテル。
【請求項１６】
前記第２のルーメンは、前記第１のルーメンと独立している、請求項１〜１５のいずれか１項に記載のカテーテル。
【請求項１７】
前記外側バルーンをインフレートさせるための第２の開口部を有する第３のルーメンをさらに含み、前記第３のルーメンは、前記第１のルーメンおよび前記第２のルーメンと独立している、請求項１〜１６のいずれか１項に記載のカテーテル。
【手続補正２】
【補正対象書類名】図面
【補正対象項目名】図１Ａ
【補正方法】変更
【補正の内容】
【図１Ａ】
2020522330.tif 000001
【手続補正３】
【補正対象書類名】図面
【補正対象項目名】図１Ｂ
【補正方法】変更
【補正の内容】
【図１Ｂ】
2020522330.tif 000002
【手続補正４】
【補正対象書類名】図面
【補正対象項目名】図３
【補正方法】変更
【補正の内容】
【図３】
2020522330.tif 000003
【手続補正５】
【補正対象書類名】図面
【補正対象項目名】図４
【補正方法】変更
【補正の内容】
【図４】
2020522330.tif 000004
【手続補正６】
【補正対象書類名】図面
【補正対象項目名】図５
【補正方法】変更
【補正の内容】
【図５】
2020522330.tif 000005
【手続補正７】
【補正対象書類名】図面
【補正対象項目名】図６
【補正方法】変更
【補正の内容】
【図６】
2020522330.tif 000006
【手続補正８】
【補正対象書類名】図面
【補正対象項目名】図７
【補正方法】変更
【補正の内容】
【図７】
2020522330.tif 000007
【手続補正９】
【補正対象書類名】図面
【補正対象項目名】図８Ａ
【補正方法】変更
【補正の内容】
【図８Ａ】
2020522330.tif 000008
【手続補正１０】
【補正対象書類名】図面
【補正対象項目名】図８Ｂ
【補正方法】変更
【補正の内容】
【図８Ｂ】
2020522330.tif 000009
【手続補正１１】
【補正対象書類名】図面
【補正対象項目名】図９
【補正方法】変更
【補正の内容】
【図９】
2020522330.tif 000010
【手続補正１２】
【補正対象書類名】図面
【補正対象項目名】図１０Ａ
【補正方法】変更
【補正の内容】
【図１０Ａ】
2020522330.tif 000011
【手続補正１３】
【補正対象書類名】図面
【補正対象項目名】図１０Ｂ
【補正方法】変更
【補正の内容】
【図１０Ｂ】
2020522330.tif 000012
【手続補正１４】
【補正対象書類名】図面
【補正対象項目名】図１１
【補正方法】変更
【補正の内容】
【図１１】
2020522330.tif 000013
【手続補正１５】
【補正対象書類名】図面
【補正対象項目名】図１２
【補正方法】変更
【補正の内容】
【図１２】
2020522330.tif 000014
【手続補正１６】
【補正対象書類名】図面
【補正対象項目名】図１３Ａ
【補正方法】変更
【補正の内容】
【図１３Ａ】
2020522330.tif 000015
【手続補正１７】
【補正対象書類名】図面
【補正対象項目名】図１３Ｂ
【補正方法】変更
【補正の内容】
【図１３Ｂ】
2020522330.tif 000016
【手続補正１８】
【補正対象書類名】図面
【補正対象項目名】図１４Ａ
【補正方法】変更
【補正の内容】
【図１４Ａ】
2020522330.tif 000017
【手続補正１９】
【補正対象書類名】図面
【補正対象項目名】図１４Ｂ
【補正方法】変更
【補正の内容】
【図１４Ｂ】
2020522330.tif 000018
【手続補正２０】
【補正対象書類名】図面
【補正対象項目名】図１５
【補正方法】変更
【補正の内容】
【図１５】
2020522330.tif 000019
【手続補正２１】
【補正対象書類名】図面
【補正対象項目名】図１６
【補正方法】変更
【補正の内容】
【図１６】
2020522330.tif 000020
【手続補正２２】
【補正対象書類名】図面
【補正対象項目名】図１７Ａ
【補正方法】変更
【補正の内容】
【図１７Ａ】
2020522330.tif 000021
【手続補正２３】
【補正対象書類名】図面
【補正対象項目名】図１７Ｂ
【補正方法】変更
【補正の内容】
【図１７Ｂ】
2020522330.tif 000022
【手続補正２４】
【補正対象書類名】図面
【補正対象項目名】図１８Ａ
【補正方法】変更
【補正の内容】
【図１８Ａ】
2020522330.tif 000023
【手続補正２５】
【補正対象書類名】図面
【補正対象項目名】図１８Ｂ
【補正方法】変更
【補正の内容】
【図１８Ｂ】
2020522330.tif 000024
【手続補正２６】
【補正対象書類名】図面
【補正対象項目名】図１９
【補正方法】変更
【補正の内容】
【図１９】
2020522330.tif 000025
【手続補正２７】
【補正対象書類名】図面
【補正対象項目名】図２０Ａ
【補正方法】変更
【補正の内容】
【図２０Ａ】
2020522330.tif 000026
【手続補正２８】
【補正対象書類名】図面
【補正対象項目名】図２０Ｂ
【補正方法】変更
【補正の内容】
【図２０Ｂ】
2020522330.tif 000027
【手続補正２９】
【補正対象書類名】図面
【補正対象項目名】図２０Ｃ
【補正方法】変更
【補正の内容】
【図２０Ｃ】
2020522330.tif 000028
【手続補正３０】
【補正対象書類名】図面
【補正対象項目名】図２１Ａ
【補正方法】変更
【補正の内容】
【図２１Ａ】
2020522330.tif 000029
【手続補正３１】
【補正対象書類名】図面
【補正対象項目名】図２１Ｂ
【補正方法】変更
【補正の内容】
【図２１Ｂ】
2020522330.tif 000030
【手続補正３２】
【補正対象書類名】図面
【補正対象項目名】図２１Ｃ
【補正方法】変更
【補正の内容】
【図２１Ｃ】
2020522330.tif 000031
【手続補正３３】
【補正対象書類名】図面
【補正対象項目名】図２２Ａ
【補正方法】変更
【補正の内容】
【図２２Ａ】
2020522330.tif 000032
【手続補正３４】
【補正対象書類名】図面
【補正対象項目名】図２２Ｂ
【補正方法】変更
【補正の内容】
【図２２Ｂ】
2020522330.tif 000033
【手続補正３５】
【補正対象書類名】図面
【補正対象項目名】図２２Ｃ
【補正方法】変更
【補正の内容】
【図２２Ｃ】
2020522330.tif 000034
【手続補正３６】
【補正対象書類名】図面
【補正対象項目名】図２３
【補正方法】変更
【補正の内容】
【図２３】
2020522330.tif 000035
【手続補正３７】
【補正対象書類名】図面
【補正対象項目名】図２４Ａ
【補正方法】変更
【補正の内容】
【図２４Ａ】
2020522330.tif 000036
【手続補正３８】
【補正対象書類名】図面
【補正対象項目名】図２４Ｂ
【補正方法】変更
【補正の内容】
【図２４Ｂ】
2020522330.tif 000037
【手続補正３９】
【補正対象書類名】図面
【補正対象項目名】図２５Ａ
【補正方法】変更
【補正の内容】
【図２５Ａ】
2020522330.tif 000038
【手続補正４０】
【補正対象書類名】図面
【補正対象項目名】図２５Ｂ
【補正方法】変更
【補正の内容】
【図２５Ｂ】
2020522330.tif 000039
【手続補正４１】
【補正対象書類名】図面
【補正対象項目名】図２６
【補正方法】変更
【補正の内容】
【図２６】
2020522330.tif 000040
【手続補正４２】
【補正対象書類名】図面
【補正対象項目名】図２７
【補正方法】変更
【補正の内容】
【図２７】
2020522330.tif 000041
【手続補正４３】
【補正対象書類名】図面
【補正対象項目名】図２８Ａ
【補正方法】変更
【補正の内容】
【図２８Ａ】
2020522330.tif 000042
【手続補正４４】
【補正対象書類名】図面
【補正対象項目名】図２８Ｂ
【補正方法】変更
【補正の内容】
【図２８Ｂ】
2020522330.tif 000043
【手続補正４５】
【補正対象書類名】図面
【補正対象項目名】図２８Ｃ
【補正方法】変更
【補正の内容】
【図２８Ｃ】
2020522330.tif 000044
【手続補正４６】
【補正対象書類名】図面
【補正対象項目名】図２８Ｄ
【補正方法】変更
【補正の内容】
【図２８Ｄ】
2020522330.tif 000045
【手続補正４７】
【補正対象書類名】図面
【補正対象項目名】図２９Ａ
【補正方法】変更
【補正の内容】
【図２９Ａ】
2020522330.tif 000046
【手続補正４８】
【補正対象書類名】図面
【補正対象項目名】図２９Ｂ
【補正方法】変更
【補正の内容】
【図２９Ｂ】
2020522330.tif 000047
【手続補正４９】
【補正対象書類名】図面
【補正対象項目名】図２９Ｃ
【補正方法】変更
【補正の内容】
【図２９Ｃ】
2020522330.tif 000048